(57)【要約】【課題】レーザダイオードの空冷効果が高いこと。【解決手段】光ピックアップ５のベース５ａに、先端開口部２０ａをレーザダイオードＬＤに対向させたエア配管２０が取り付けられ、支持枠３上にエアシリンダ２１がベース５ａの移動方向ａ，ｂに沿って配置されると共に、該エアシリンダ２１のピストンロッド２１ａベース５ａに連結され、そのエアシリンダ２１の空気室とエア配管２０とがフレキシブルホース２３により接続されており、ベース５ａの移動に伴ってエアシリンダ２１を伸縮駆動することによりエア配管２０の先端開口部２０ａからレーザダイオードＬＤに向けてエアの吹き出しを行うようにした。【選択図】        図１
2004280984.tif 000002
【特許請求の範囲】
【請求項１】
支持枠にターンテーブルと光ピックアップとが配置され、該光ピックアップのベースがターンテーブル上の光ディスクの半径方向に沿って移動可能に形成されており、前記ベースの側面に設けたレーザダイオードからレーザ光をベース内の対物レンズを介してターンテーブル上の光ディスクに投射し、その反射光をベース内のフォトダイオードにより受光するようにしたディスクプレーヤにおいて、前記ベースに、先端開口部をレーザダイオードに対向させたエア配管が取り付けられ、前記支持枠上にエアシリンダがベースの移動方向に沿って配置されると共に、該エアシリンダのピストンロッドが前記ベースに連結され、そのエアシリンダの空気室と前記エア配管とがフレキシブルホースにより接続されており、ベースの移動に伴ってエアシリンダを伸縮駆動することによりエア配管の先端開口部からレーザダイオードに向けてエアの吹き出しを行うようにしたことを特徴とするディスクプレーヤ。
【請求項２】
支持枠にターンテーブルと光ピックアップとが配置され、該光ピックアップのベースがターンテーブル上の光ディスクの半径方向に沿って移動可能に形成されており、前記ベースの側面に設けたレーザダイオードからレーザ光をベース内の対物レンズを介してターンテーブル上の光ディスクに投射し、その反射光をベース内のフォトダイオードにより受光するようにしたディスクプレーヤにおいて、前記ベースに、先端開口部をレーザダイオードに対向させたエア配管が取り付けられ、前記支持枠上に一対のエアシリンダがベースの移動方向に沿って対向配置されると共に、該両エアシリンダのピストンロッドが同心状に一体形成した状態で前記ベースに連結され、その各エアシリンダの空気室に接続した接続管を大気またはフレキシブルホースを介してエア配管に接続するための一対の３ポート２位置の切換弁が設けられており、ベースの移動に伴って各エアシリンダを伸縮駆動することにより各切換弁を交互にオン位置に切り換えてエア配管の先端開口部からレーザダイオードに向けてエアの吹き出しを行うようにしたことを特徴とするディスクプレーヤ。
【請求項３】
支持枠にターンテーブルと光ピックアップとが配置され、該光ピックアップのベースがターンテーブル上の光ディスクの半径方向に沿って移動可能に形成されており、前記ベースの側面に設けたレーザダイオードからレーザ光をベース内の対物レンズを介してターンテーブル上の光ディスクに投射し、その反射光をベース内のフォトダイオードにより受光するようにしたディスクプレーヤにおいて、前記ベースに、先端開口部をレーザダイオードに対向させたエア配管が取り付けられ、ベースの移動に伴って伸縮駆動されることにより前記エア配管にエアを供給するエアシリンダが設けられていることを特徴とするディスクプレーヤ。
【請求項４】
前記エアシリンダが前記支持枠上にベースの移動方向に沿って配置されると共に、該エアシリンダのピストンロッドが前記ベースに連結されていることを特徴とする請求項３に記載のディスクプレーヤ。
【請求項５】
前記エアシリンダの空気室と前記エア配管とがフレキシブルホースにより接続されていることを特徴とする請求項４に記載のディスクプレーヤ。
【請求項６】
前記エアシリンダを一対設けており、その一対のエアシリンダのピストンロッドが同心状に一体形成した状態でベースに連結され、その各エアシリンダの空気室に接続した接続管を大気またはフレキシブルホースを介してエア配管に接続するための一対の３ポート２位置の切換弁が設けられており、ベースの移動に伴って各エアシリンダを伸縮駆動することにより各切換弁を交互にオン位置に切り換えてエア配管の先端開口部からレーザダイオードに向けてエアの吹き出しを行うようにしたことを特徴とする請求項５に記載のディスクプレーヤ。
【発明の詳細な説明】
【０００１】
【発明の属する技術分野】
本発明は、ＤＶＤやＣＤなどの光ディスクに対して再生や記録または消去を行うためのディスクプレーヤに関する。
【０００２】
【従来の技術】
従来、ディスクプレーヤの一例として特許文献１に記載したものがある。これは、図４に示すように、光ディスクＤを載置するためのディスク載置面１ａを上面に凹設したトレイ１が筐体２に移動可能に配置され、該筐体２内に昇降可能に設けた支持枠３にターンテーブル４と光ピックアップ５とが配置されている。
【０００３】
前記光ピックアップ５は、ターンテーブル４上の光ディスクＤの半径方向に沿って前後方向ａ，ｂに移動可能なベース５ａを有し、図５に示すように、ベース５ａの側面にレーザダイオードＬＤが設けられると共に、そのベース５ａ内に、対物レンズＯＬ、コリメータレンズＱＷＰ、ハーフミラーＨＭ及びフォトダイオードＰＤが配置されている。
【０００４】
上記構成において、アンローディング状態（図４実線参照）のトレイ１上に光ディスクＤを載置し、ローディング指令信号に基づいて該トレイ１を筐体２内に引き込み、支持枠３を上昇させてターンテーブル４とディスクホルダー（図示せず）とにより光ディスクＤをチャッキングする。次に、ターンテーブル４により光ディスクＤを回転させ、ベース５ａを前後方向ａ，ｂに移動させると共に、レーザダイオードＬＤからレーザ光をハーフミラーＨＭ、コリメータレンズＱＷＰ及び対物レンズＯＬを通して光ディスクＤに投射し、その反射光をハーフミラーＨＭを通ってフォトダイオードＰＤで受光することにより、光ディスクＤに記録されている情報の再生や記録または消去を行うようになっている。
【０００５】
図４中、７はレンズクリーニング装置であって、筐体２内に前後方向ａ，ｂに沿って配置したエアシリンダ７ａを有し、該エアシリンダ７ａのピストンロッド７ｂがトレイ１に連結され、エアシリンダ７ａの空気室８にノズル９と空気弁１０とが接続され、ノズル９の先端が対物レンズＯＬに接近されている。
【０００６】
上記構成において、アンローディング状態（図４実線参照）からローディング指令信号に基づいてトレイ１を筐体２内に引き込むと、ピストンロッド７ｂが縮小駆動され、これにより、空気室８内のエアが圧縮されてノズル９から対物レンズＯＬに向けて吹き出され、また、アンローディング指令に基づいてトレイ１を筐体２内から押し出すと、ピストンロッド７ｂが伸長駆動されて、空気弁１０を介して空気室８内にエアが吸い込まれる。
【０００７】
上記構成によれば、レーザダイオードＬＤの発熱によりベース５ａが熱膨張して変形されることにより、フォトダイオードＰＤと対物レンズＯＬとを結ぶ光軸が曲がるなどして読み取り誤差が生じるおそれがある。
【０００８】
そこで、図５に仮想線で示すように、前記ノズル９の先端をレーザダイオードＬＤに接近させ、そのノズル９から吹き出したエアによりレーザダイオードＬＤを空冷することが考えられる。
【０００９】
【特許文献１】
特開平１１−１１０９３６号公報
【００１０】
【発明が解決しようとする課題】
上記従来の構成では、トレイ１をアンローディング状態（図４実線状態）からローディング指令信号に基づいて筐体２内に引き込む際に、ノズル９からエアを吹き出すだけであり、レーザダイオードＬＤを作動させているときには、ノズル９からエアを吹き出すことがないから、空冷効果がほとんど無い。
【００１１】
本発明は、上記従来の欠点に鑑み、レーザダイオードの空冷効果が高いディスクプレーヤを提供することを目的としている。
【００１２】
【課題を解決するための手段】
上記目的を達成するため、請求項１に記載の発明は、支持枠にターンテーブルと光ピックアップとが配置され、該光ピックアップのベースがターンテーブル上の光ディスクの半径方向に沿って移動可能に形成されており、前記ベースの側面に設けたレーザダイオードからレーザ光をベース内の対物レンズを介してターンテーブル上の光ディスクに投射し、その反射光をベース内のフォトダイオードにより受光するようにしたディスクプレーヤにおいて、前記ベースに、先端開口部をレーザダイオードに対向させたエア配管が取り付けられ、前記支持枠上にエアシリンダがベースの移動方向に沿って配置されると共に、該エアシリンダのピストンロッドが前記ベースに連結され、そのエアシリンダの空気室と前記エア配管とがフレキシブルホースにより接続されており、ベースの移動に伴ってエアシリンダを伸縮駆動することによりエア配管の先端開口部からレーザダイオードに向けてエアの吹き出しを行うようにしたことを特徴としている。
【００１３】
上記構成は第１の実施の形態（図１及び図２参照）に対応するものであって、これによれば、光ピックアップの作動によりベースが移動されると、その移動に伴って伸縮駆動されるエアシリンダによりエア配管の先端開口部からレーザダイオードに向けてエアを繰り返し吹き出すので、作動中のレーザダイオードを確実に空冷することができ、これによって、レーザダイオードの発熱によりベースが熱膨張して変形されるおそれがなくなり、フォトダイオードを対物レンズとを結ぶ光軸を所定通りに直線的に維持して読み取り誤差の発生を防止することができる。
【００１４】
また、エア配管、フレキシブルホース及びエアシリンダを１ユニットとして既存装置に取り付けるだけでよいから、構造が簡単で製作費が安くつく。更に、光ピックアップの作動によりベースが移動されると、ピストンロッドも同方向に移動されてエアシリンダを確実に駆動することができ、そのエアシリンダの駆動に特別の駆動源を必要としないから経済的である。しかも、ベースの移動位置に関係なくフレキシブルホースを介してエア配管にエアを確実に供給することができる。
【００１５】
請求項２に記載の発明は、支持枠にターンテーブルと光ピックアップとが配置され、該光ピックアップのベースがターンテーブル上の光ディスクの半径方向に沿って移動可能に形成されており、前記ベースの側面に設けたレーザダイオードからレーザ光をベース内の対物レンズを介してターンテーブル上の光ディスクに投射し、その反射光をベース内のフォトダイオードにより受光するようにしたディスクプレーヤにおいて、前記ベースに、先端開口部をレーザダイオードに対向させたエア配管が取り付けられ、前記支持枠上に一対のエアシリンダがベースの移動方向に沿って対向配置されると共に、該両エアシリンダのピストンロッドが同心状に一体形成した状態で前記ベースに連結され、その各エアシリンダの空気室に接続した接続管を大気またはフレキシブルホースを介してエア配管に接続するための一対の３ポート２位置の切換弁が設けられており、ベースの移動に伴って各エアシリンダを伸縮駆動することにより各切換弁を交互にオン位置に切り換えてエア配管の先端開口部からレーザダイオードに向けてエアの吹き出しを行うようにしたことを特徴としている。
【００１６】
上記構成は第２の実施の形態（図３参照）に対応するものであって、これによれば、光ピックアップの作動によりベースが移動されると、その移動に伴って各エアシリンダを伸縮駆動することにより各切換弁を交互にオン位置に切り換えてエア配管の先端開口部からレーザダイオードに向けてエアを連続的に吹き出すので、作動中のレーザダイオードを確実に空冷することができ、これによって、レーザダイオードの発熱によりベースが熱膨張して変形されるおそれがなくなり、フォトダイオードを対物レンズとを結ぶ光軸を所定通りに直線的に維持して読み取り誤差の発生を防止することができる。
【００１７】
また、エア配管、フレキシブルホース、両切換弁及び両エアシリンダを１ユニットとして既存装置に取り付けるだけでよいから、構造が簡単で製作費が安くつく。また、光ピックアップの作動によりベースが移動されると、ピストンロッドも同方向に移動されて各エアシリンダを確実に駆動することができ、その各エアシリンダの駆動に特別の駆動源を必要としないから経済的である。しかも、ベースの移動位置に関係なくフレキシブルホースを介してエア配管にエアを確実に供給することができる。
【００１８】
請求項３記載の発明は、支持枠にターンテーブルと光ピックアップとが配置され、該光ピックアップのベースがターンテーブル上の光ディスクの半径方向に沿って移動可能に形成されており、前記ベースの側面に設けたレーザダイオードからレーザ光をベース内の対物レンズを介してターンテーブル上の光ディスクに投射し、その反射光をベース内のフォトダイオードにより受光するようにしたディスクプレーヤにおいて、前記ベースに、先端開口部をレーザダイオードに対向させたエア配管が取り付けられ、ベースの移動に伴って伸縮駆動されることにより前記エア配管にエアを供給するエアシリンダが設けられている特徴としている。
【００１９】
上記構成によれば、光ピックアップの作動によりベースが移動されると、その移動に伴って伸縮駆動されるエアシリンダによりエア配管を介してレーザダイオードに向けてエアを繰り返し吹き出すので、作動中のレーザダイオードを確実に空冷することができ、これによってレーザダイオードの発熱によりベースが熱膨張して変形されるおそれがなくなり、フォトダイオードを対物レンズとを結ぶ光軸を所定通りに直線的に維持して読み取り誤差の発生を防止することができる。
【００２０】
また、エア配管及びエアシリンダを１ユニットとして既存装置に取り付けるだけでよいから、構造が簡単で製作費が安くつく。
【００２１】
請求項４に記載の発明は、請求項３に記載の発明において、前記エアシリンダが前記支持枠上にベースの移動方向に沿って配置されると共に、該エアシリンダのピストンロッドが前記ベースに連結されていることを特徴としている。
【００２２】
上記構成によれば、光ピックアップの作動によりベースが移動されると、ピストンロッドも同方向に移動されてエアシリンダを確実に駆動することができ、そのエアシリンダの駆動に特別の駆動源を必要としないから経済的である。
【００２３】
請求項５に記載の発明は、請求項４に記載の発明において、前記エアシリンダの空気室と前記エア配管とがフレキシブルホースにより接続されていることを特徴としている。
【００２４】
上記構成によれば、ベースの移動位置に関係なくフレキシブルホースを介してエア配管にエアを確実に供給することができる。
【００２５】
請求項６に記載の発明は、請求項５に記載の発明において、前記エアシリンダを一対設けており、その一対のエアシリンダのピストンロッドが同心状に一体形成した状態でベースに連結され、その各エアシリンダの空気室に接続した接続管を大気またはフレキシブルホースを介してエア配管に接続するための一対の３ポート２位置の切換弁が設けられており、ベースの移動に伴って各エアシリンダを伸縮駆動することにより各切換弁を交互にオン位置に切り換えてエア配管の先端開口部からレーザダイオードに向けてエアの吹き出しを行うようにしたことを特徴としている。
【００２６】
上記構成によれば、ベースが移動されると、その移動に伴って各エアシリンダを伸縮駆動することにより各切換弁を交互にオン位置に切り換えてエア配管の先端開口部からレーザダイオードに向けてエアを連続的に吹き出すから、レーザダイオードを一層効率良く空冷することができる。
【００２７】
【発明の実施の形態】
図１及び図２は本発明の第１の実施の形態を示すものであって、支持枠３が４つの弾性体１２を介して揺動枠１３に上下変位可能に取り付けられ、該揺動枠１３の後端部に突設した一対のヒンジ部１３ａを筐体２に当接させると共に、その揺動枠１３の前端部に突設した一対のカムピン１３ｂをカムレバー１４の各カム溝１４ａに嵌入させており、該カムレバー１４を横方向ｃ，ｄに移動させることにより、揺動枠１３がヒンジ部１３ａを支点にして上下揺動される。また、光ピックアップ５のベース５ａが支持枠３上の一対のガイドレール１５に架設され、該ベース５ａに設けたラック部１６をスクリューねじ１７に噛合させており、該スクリューねじ１７をスライドモータ１８で正逆回転させることにより、ラック部１６を介してベース５ａを前後方向ａ，ｂに移動させる。
【００２８】
前記ベース５ａの側面に、先端開口部２０ａをレーザダイオードＬＤに対向させたエア配管２０が取り付けられ、支持枠３上にエアシリンダ２１が前後方向ａ，ｂに沿って配置されると共に、該エアシリンダ２１のピストンロッド２１ａがベース５ａに連結され、そのエアシリンダ２１の空気室２２とエア配管２０とがフレキシブルホース２３により接続されている。
【００２９】
上記構成において、光ディスクＤのローディング状態で、ターンテーブル４により光ディスクＤを回転させ、ベース５ａを前後方向ａ，ｂに移動させると共に、レーザダイオードＬＤからレーザ光をハーフミラーＨＭ、コリメータレンズＱＷＰ及び対物レンズＯＬを通して光ディスクＤに投射し、その反射光をハーフミラーＨＭを通ってフォトダイオードＰＤで受光することにより、光ディスクＤに記録されている情報の再生や記録または消去を行う。これと同時に、ベース５ａの移動に伴ってエアシリンダ２１を伸縮駆動することにより、空気室２２内のエアをフレキシブルホース２３を介してエア配管２０の先端開口部１２ａからレーザダイオードＬＤに向けて吹き出したり、その先端開口部１２ａからエアを吸い込んで、レーザダイオードＬＤを空冷する。
【００３０】
上記構成によれば、光ピックアップ５の作動によりベース５ａがガイドレール１５に沿って移動されると、その移動に伴って伸縮駆動されるエアシリンダ２１によりエア配管２０の先端開口部２０ａからレーザダイオードＬＤに向けてエアを繰り返し吹き出すので、作動中のレーザダイオードＬＤを確実に空冷することができ、これによって、レーザダイオードＬＤの発熱によりベース５ａが熱膨張して変形されるおそれがなくなり、フォトダイオードＰＤを対物レンズＯＬとを結ぶ光軸を所定通りに直線的に維持して読み取り誤差の発生を防止することができる。
【００３１】
また、エア配管２０、フレキシブルホース２３及びエアシリンダ２１を１ユニットとして既存装置に取り付けるだけでよいから、構造が簡単で製作費が安くつく。更に、光ピックアップ５の作動によりベース５ａがガイドレール１５に沿って移動されると、ピストンロッド２１ａも同方向に移動されてエアシリンダ２１を確実に駆動することができ、そのエアシリンダ２１の駆動に特別の駆動源を必要としないから経済的である。しかも、ベース５ａの移動位置に関係なくフレキシブルホース２３を介してエア配管２０にエアを確実に供給することができる。
【００３２】
図３は本発明の第２の実施の形態を示すものであって、エアシリンダ２１を一対用いており、その一対のエアシリンダ２１がベース５ａの移動方向ａ，ｂに沿って対向配置されると共に、該両エアシリンダ２１のピストンロッド２１ａが同心状に一体形成した状態でベース５ａに連結され、その各エアシリンダ２１の空気室２２に接続した接続管２２ａを大気２４またはフレキシブルホース２３を介してエア配管２０に接続するための一対の３ポート２位置の切換弁２５ａ，２５ｂが設けられ、該各切換弁２５ａ，２５ｂをオフ位置Ａに向けて付勢するばね２６と、各空気室２２から吹き出したエアを分岐して各切換弁２５ａ，２５ｂをオン位置Ｂに押し出すためのパイロット回路２７とが設けられており、ベース５ａの移動に伴って各エアシリンダ２１を伸縮駆動することにより、各空気室２２からエアがパイロット回路２７に供給されて、各切換弁２５ａ，２５ｂが交互にオン位置Ｂに切り換えられ、これにより、フレキシブルホース２３を介してエア配管２０からレーザダイオードＬＤに向けてエアが連続的に吹き出される。
【００３３】
上記構成によれば、第１の実施の形態とほぼ同様の効果を得ることができると共に、特に、ベース５ａがガイドレール１５に沿って前後方向ａ，ｂに移動されると、その移動に伴って各エアシリンダ２１を伸縮駆動することにより各切換弁２５ａ，２５ｂを交互にオン位置Ｂに切り換えてエア配管２０の先端開口部２０ａからレーザダイオードＬＤに向けてエアを連続的に吹き出すから、レーザダイオードＬＤを一層効率良く空冷することができる。
【００３４】
【発明の効果】
請求項１に記載の発明によれば、第１の実施の形態（図１及び図２参照）に示すように、光ピックアップの作動によりベースが移動されると、その移動に伴って伸縮駆動されるエアシリンダによりエア配管の先端開口部からレーザダイオードに向けてエアを繰り返し吹き出すので、作動中のレーザダイオードを確実に空冷することができ、これによって、レーザダイオードの発熱によりベースが熱膨張して変形されるおそれがなくなり、フォトダイオードを対物レンズとを結ぶ光軸を所定通りに直線的に維持して読み取り誤差の発生を防止することができる。
【００３５】
また、エア配管、フレキシブルホース及びエアシリンダを１ユニットとして既存装置に取り付けるだけでよいから、構造が簡単で製作費が安くつく。更に、光ピックアップの作動によりベースが移動されると、ピストンロッドも同方向に移動されてエアシリンダを確実に駆動することができ、そのエアシリンダの駆動に特別の駆動源を必要としないから経済的である。しかも、ベースの移動位置に関係なくフレキシブルホースを介してエア配管にエアを確実に供給することができる。
【００３６】
請求項２に記載の発明によれば、第２の実施の形態（図３参照）に示すように、光ピックアップの作動によりベースが移動されると、その移動に伴って各エアシリンダを伸縮駆動することにより各切換弁を交互にオン位置に切り換えてエア配管の先端開口部からレーザダイオードに向けてエアを連続的に吹き出すので、作動中のレーザダイオードを確実に空冷することができ、これによって、レーザダイオードの発熱によりベースが熱膨張して変形されるおそれがなくなり、フォトダイオードを対物レンズとを結ぶ光軸を所定通りに直線的に維持して読み取り誤差の発生を防止することができる。
【００３７】
また、エア配管、フレキシブルホース、両切換弁及び両エアシリンダを１ユニットとして既存装置に取り付けるだけでよいから、構造が簡単で製作費が安くつく。また、光ピックアップの作動によりベースが移動されると、ピストンロッドも同方向に移動されて各エアシリンダを確実に駆動することができ、その各エアシリンダの駆動に特別の駆動源を必要としないから経済的である。しかも、ベースの移動位置に関係なくフレキシブルホースを介してエア配管にエアを確実に供給することができる。
【００３８】
請求項３に記載の発明によれば、光ピックアップの作動によりベースが移動されると、その移動に伴って伸縮駆動されるエアシリンダによりエア配管を介してレーザダイオードに向けてエアを繰り返し吹き出すので、作動中のレーザダイオードを確実に空冷することができ、これによって、レーザダイオードの発熱によりベースが熱膨張して変形されるおそれがなくなり、フォトダイオードを対物レンズとを結ぶ光軸を所定通りに直線的に維持して読み取り誤差の発生を防止することができる。
【００３９】
また、エア配管及びエアシリンダを１ユニットとして既存装置に取り付けるだけでよいから、構造が簡単で製作費が安くつく。
【００４０】
請求項４に記載の発明によれば、光ピックアップの作動によりベースが移動されると、ピストンロッドも同方向に移動されてエアシリンダを確実に駆動することができ、そのエアシリンダの駆動に特別の駆動源を必要としないから経済的である。
【００４１】
請求項５に記載の発明によれば、ベースの移動位置に関係なくフレキシブルホースを介してエア配管にエアを確実に供給することができる。
【００４２】
請求項６に記載の発明によれば、ベースが移動されると、その移動に伴って各エアシリンダを伸縮駆動することにより各切換弁を交互にオン位置に切り換えてエア配管の先端開口部からレーザダイオードに向けてエアを連続的に吹き出すから、レーザダイオードを一層効率良く空冷することができる。
【図面の簡単な説明】
【図１】本発明の第１の実施の形態であるディスクプレーヤを示す平面図である。
【図２】同概略説明図である。
【図３】本発明の第２の実施の形態であるディスクプレーヤを示す概略説明図である。
【図４】従来例を示す概略平面図である。
【図５】同概略説明図である。
【符号の説明】
１              トレイ
２              筐体
３              支持枠
４              ターンテーブル
５              光ピックアップ
５ａ            光ピックアップのベース
２０            エア配管
２０ａ          エア配管の先端開口部
２１            エアシリンダ
２１ａ          ピストンロッド
２２            空気室
２２ａ          接続管
２３            フレキシブルホース
２５ａ，２５ｂ  切換弁
Ｄ              光ディスク
ＬＤ            レーザダイオード
ＯＬ            対物レンズ
【図１】
2004280984.tif 000003
【図２】
2004280984.tif 000004
【図３】
2004280984.tif 000005
【図４】
2004280984.tif 000006
【図５】
2004280984.tif 000007